(57)【要約】【課題】省力的でガスもれがほとんどなく安全に、十分な土壌消毒効果を得ることができる方法を得る。【解決手段】湿った土壌を、被覆資材で被覆する工程と、複数の薬液噴出孔を有する薬液吹き出し口部と前記薬液吹き出し口部に薬液を供給するための薬液供給部を備えた薬液散布棒であって、前記薬液吹き出し口部は前記薬液供給部の一端と接続されている薬液散布棒を、前記薬液吹き出し口部に薬液供給部を介して薬液を供給しながら、土壌表面を移動させることにより土壌表面に薬液散布する工程、を含む液体状農薬による土壌処理方法。【選択図】  図１
2004201627.tif 000002
【特許請求の範囲】
【請求項１】
湿った土壌を、被覆資材で被覆する工程と、
複数の薬液噴出孔を有する薬液吹き出し口部と前記薬液吹き出し口部に薬液を供給するための薬液供給部を備えた薬液散布棒であって、前記薬液吹き出し口部は前記薬液供給部の一端と接続されている薬液散布棒を、前記薬液吹き出し口部に薬液供給部を介して薬液を供給しながら、土壌表面を移動させることにより土壌表面に薬液散布する工程、を含む液体状農薬による土壌処理方法。
【請求項２】
前記被覆資材で被覆する工程を、前記土壌表面に薬液散布する工程以前に行うことを特徴とする、請求項１に記載の液体状農薬による土壌処理方法。
【請求項３】
前記被覆資材で被覆する工程を、前記土壌表面に薬液散布する工程と同時に行うことを特徴とする、請求項１に記載の液体状農薬による土壌処理方法。
【請求項４】
さらに、薬液処理した土壌表面を覆土する工程を含む、請求項１〜３のいずれか一項に記載の液体状農薬による土壌処理方法。
【請求項５】
薬液散布棒への薬液の供給を動力噴霧機、灌水ポンプ、または肥料ポンプのいずれかを用いて行うことを特徴とする、請求項１〜４のいずれか一項に記載の液体状農薬による土壌処理方法。
【請求項６】
薬液散布棒への薬液の供給と被覆資材による土壌表面の被覆をこれらの機能を有するトラクターにより行うことを特徴とする、請求項３または４に記載の液体状農薬による土壌処理方法。
【請求項７】
さらに、薬液処理した土壌表面を覆土しうるトラクターを用いることを特徴とする、請求項６に記載の液体状農薬による土壌処理方法。
【請求項８】
薬液散布棒の薬液吹き出し口部の長さが１〜１０ｍの範囲のものを使用することを特徴とする、請求項１〜７のいずれか一項に記載の液体状農薬による土壌処理方法。
【請求項９】
薬液散布棒の薬液吹き出し口部が内径１〜５ｍｍの薬液噴出孔を有してなることを特徴とする、請求項１〜８のいずれか一項に記載の液体状農薬による土壌処理方法。
【請求項１０】
液体状農薬の有効成分が土壌処理用殺虫成分、殺線虫成分、殺菌成分、除草成分から選ばれる１種または２種以上であることを特徴とする、請求項１〜９のいずれか一項に記載の液体状農薬による土壌処理方法。
【発明の詳細な説明】
【０００１】
【発明の属する技術分野】
本発明は土壌消毒剤として用いられる液体状農薬により省力的に土壌処理する方法に関する。
【０００２】
【従来の技術】
これまで土壌消毒剤としては、カーバムナトリウム塩（ナトリウム＝メチルジチオカーバマート）、カーバム（Ｎ−メチルジチオカルバミン酸アンモニウム）、Ｄ−Ｄ（１，３−ジクロロプロペン）、クロルピクリン、ダゾメットなどが広く使用されてきた。
【０００３】
これらの液体状農薬を土壌に処理する方法は、大別して次のいずれかによるものである。
（１）土壌灌注  薬液を灌注機を用いて土壌中に注入する。
（２）土壌くん蒸  薬液を土壌消毒機を用いて土壌中に注入して土壌中でガスを拡散させる。
（３）散布混和  薬液を噴霧機などで土壌表面に散布し、その後混和する。
また、次の方法も広く行われている。
（４）散水用パイプを用いる方法  薬剤処理したい土壌表面を被覆資材で覆い、散水用のパイプを被覆資材の下に入れて薬液を送り込む。
（５）ジョロなどを用いる方法  薬剤処理したい土壌表面に薬液をジョロなどで散布し、被覆資材で被覆する。
【０００４】
このうち、（１）、（２）の具体的な方法は、例えば次のとおりである。
（ｉ）例えば、カーバムナトリウム塩（３０％含有）を処理する場合、対象作物がダイコン、キュウリ、スイカなどのときは、耕起整地後３０ｃｍ間隔に千鳥状に深さ約１５ｃｍの穴をあけ、播種または定植の１５〜２０日前までに原液４ｍＬ／１穴（４０Ｌ／１０ａ）を基準として所定量の薬液を注入し、直ちに覆土、鎮圧する（非特許文献１参照）。一般的には、この後、ビニールシートなどで７〜１０日間被覆し、ガス抜き後、播種または植付を行う。
（ｉｉ）カーバム剤（５０％含有）で、キク、タバコ、スギを対象作物とする場合、耕起整地後、３０ｃｍ間隔の千鳥状に深さ約１５ｃｍの穴をあけて原液を注入し、ビニールシートなどで７〜１０日間被覆する（非特許文献２参照）。
（ｉｉｉ）メチルチオイソチオシアネート油剤（メチルイソチオシアネート３０．０％含有）を処理する場合、対象作物がキュウリのときは、播種または植付の２１日前までに耕起・整地した圃場に３０ｃｍ間隔の千鳥状に深さ１２〜１５ｃｍの穴をあけ、２０〜３０Ｌ／１０ａ（２〜３ｍＬ／１穴）を注入、覆土し、ポリエチレンやビニールシートで被覆する。処理７〜１０日後にガス抜き作業を行う（非特許文献３参照）。
（ｉｖ）クロルピクリンくん蒸剤（クロルピクリン８０．０％含有）を圃場に全面処理する場合は、耕起整地後、３０ｃｍ×３０ｃｍごとに深さ約１５ｃｍの穴をあけ、１穴当り２〜３ｍＬを注入し、直ちに覆土し、ポリエチレン、ビニールシートなどで被覆するか水封する。処理後、１０日以上経過してから播種または移植する（非特許文献４参照）。
また、（３）の具体的な方法は、例えば次のとおりである。
（ｖ）カーバム剤（５０％含有）を処理する場合、対象作物がダイコン、キュウリ、スイカのときは、原液を水で３倍に希釈して、土壌耕転時に土壌全面に均一散布し直ちに土壌混和して、ビニールシートなどで７〜１０日間被覆しガス抜き後播種する（非特許文献２参照）。
【０００５】
【非特許文献１】梶原敏宏、外５名、「農業ハンドブック２００１年度版」、社団法人日本植物防疫協会、平成１３年１１月１日、ｐ．１９１−１９２
【非特許文献２】梶原敏宏、外５名、「農業ハンドブック２００１年度版」、社団法人日本植物防疫協会、平成１３年１１月１日、ｐ．１９０−１９１
【非特許文献３】梶原敏宏、外５名、「農業ハンドブック２００１年度版」、社団法人日本植物防疫協会、平成１３年１１月１日、ｐ．１８０−１８１
【非特許文献４】梶原敏宏、外５名、「農業ハンドブック２００１年度版」、社団法人日本植物防疫協会、平成１３年１１月１日、ｐ．１８９−１９０
【０００６】
【発明が解決しようとする課題】
従来の方法は、いずれも使用する薬剤の有効な散布方法として広く採用されてきた。
しかしながら、前記（１）および（２）の方法は、一旦土壌に穴をあけてここに薬液を注入し、覆土した後ビニールなどで７〜１０日間程度被覆した後、ガス抜きをする方法で、この後に播種されるものである。（１）や（２）の方法では、特殊な装置を有するトラクターなどで穴をあけながら薬液を注入して作業を行っていくものであり、ガスが地中深く入り込むことからガス抜きを行う必要があり、手間がかかるなどの問題点がある。また、特殊な装置を有するトラクターなどがない場合、また、トラクターが使用できないハウス内や小規模処理の場合には、作業者が灌注機や消毒機などで一つずつ穴をあけながら薬液を注入して作業を行っていくが、この場合、作業効率が悪く、また、ガスが地中深く入り込むことからガス抜きを行う必要があり、手間がかかるなどの問題点がある。
また、前記（３）の方法は、土壌耕転時に土壌全面に均一散布し直ちに土壌混和して処理する方法であるが、前記（１）および（２）と同様、トラクターで作業を行う場合は、ガスが地中深く入り込むことから、ガス抜きの手間がかかり、作業者による手作業の場合は、ガス抜きの手間がかかるのに加えて、作業効率が悪く、揮散したガスに被爆する心配もあるなどの問題点がある。
【０００７】
また、前記（４）の方法は、散水用のパイプを被覆資材の下に入れて、希釈した薬液を送り込むものである。（４）の方法では、（ａ）散水のために大量の水を送らないと均一の効果が得られない、（ｂ）均一な効果を得るために多量の水を使うと、地中深くにガスが入るためガス抜きに手間がかかる、（ｃ）均一な散布には支柱などで被覆資材を土壌表面から浮かせる必要があり、手間がかかる、（ｄ）パイプの穴を小さくして一定面積に均一散布する必要があり、用水の水を使用すると穴が小さいために詰まることがある、などの問題がある。
【０００８】
前記（５）の方法は、土壌表層にジョロなどで薬液を散布し、被覆資材で被覆するものである。（５）の方法では、ガスが早くでて効果が不安定になり、また被爆の心配もあり、作業効率の面でも問題がある。
【０００９】
したがって、省力的散布方法が要求されるなかで従来の処理方法では、広い面積を連続的に処理する場合には省力的とは言い難い。こうしたことから、省力的な処理方法の開発が望まれている。
本発明の目的は、このような要望に合致し、しかもガスもれがほとんどなく安全で、十分な土壌消毒効果をもたらす方法を提供することにある。
【００１０】
【課題を解決するための手段】
本発明者らは、上記の目的を達成するために鋭意検討した。その結果、省力的で安全かつ十分な土壌消毒効果を発揮しうる方法を見い出すに至り、本発明を完成した。
すなわち、湿った土壌を、被覆資材で被覆する工程と、
複数の薬液噴出孔を有する薬液吹き出し口部と前記薬液吹き出し口部に薬液を供給するための薬液供給部を備えた薬液散布棒であって、前記薬液吹き出し口部は前記薬液供給部の一端と接続されている薬液散布棒を、前記薬液吹き出し口部に薬液供給部を介して薬液を供給しながら、土壌表面を移動させることにより土壌表面に薬液散布する工程、を含む液体状農薬による土壌処理方法が、上記の目的達成上、きわめて有効であることが分かった。
【００１１】
さらに検討したところ、本発明の方法において次の形態が好ましいという知見を得るに至った。
第１に、前記被覆資材で被覆する工程を、前記土壌表面に薬液散布する工程以前に行う前記方法。
第２に、前記被覆資材で被覆する工程を、前記土壌表面に薬液散布する工程と同時（薬液散布直後に被覆する方法を含む）に行う前記方法。
第３に、さらに、薬液処理した土壌表面を覆土する工程を含む前記方法。
第４に、薬液散布棒への薬液の供給を動力噴霧機、灌水ポンプ、または肥料ポンプのいずれかを用いて行う前記方法。
第５に、薬液散布棒への薬液の供給と被覆資材による土壌表面の被覆をこれらの機能を有するトラクターにより行う前記方法。
第６に、さらに、薬液処理した土壌表面を覆土しうるトラクターを用いる前記方法。
第７に、薬液散布棒の薬液吹き出し口部の長さが１〜１０ｍの範囲のものを使用する前記方法。
第８に、薬液散布棒の薬液吹き出し口部が内径１〜５ｍｍの薬液噴出孔を有してなる前記方法。
第９に、液体状農薬の有効成分が土壌処理用殺虫成分、殺線虫成分、殺菌成分、除草成分から選ばれる１種または２種以上である前記方法。
【００１２】
【発明の実施の形態】
本発明は次のように実施される。
（ｉ）薬液散布棒
本発明の方法に用いられる液状農薬の散布装置である薬液散布棒は、複数の薬液噴出孔を有する薬液吹き出し口部と前記薬液吹き出し口部に薬液を供給するための薬液供給部を有する。
薬液散布棒の薬液吹き出し口部は、薬液を噴出させるための複数の薬液噴出孔を設けた管状のものであり、使用する薬剤により変質せず、被覆資材の下でも、土壌表面を移動させることができるものであれば、使用できる。
薬液吹き出し口部の管は、塩化ビニール製などで、例えば、１〜１０ｍの長さのものであればよく、通常は４〜６ｍのものが使いやすい。管の太さは特に限定されず、例えば、内径が１〜５ｃｍのものであればよく、通常は内径１．３〜３ｃｍのものが使いやすい。通常、この管の両端をふさぎ、例えば、薬液噴出孔として内径１〜５ｍｍ、好ましくは２〜３ｍｍの細孔を一列または複数列、管の一方の端から他方の端まで適当な間隔で設けたものを使用することができる。薬液噴出孔は、均一な薬剤の散布が可能であるという点から、薬液吹き出し口に一定間隔で設けたものが好ましい。薬液吹き出し口部の管は、前記のような薬液噴出孔となる細孔を管に設けて使用してもよく、または予め薬液噴出孔となる細孔を備えた管を使用してもよい。
【００１３】
薬液吹き出し口部の管には、前記薬液吹き出し口部に薬液を供給するための薬液供給部を接続する。
薬液供給部は、使用する薬剤により変質しない管状のものであれば使用でき、例えば、耐油性合成ゴム製などのホースを用いることができる。薬液供給部の管は、例えば、５〜５０ｍの長さのものであればよく、通常は１０〜３０ｍのものが使いやすい。管の太さは特に限定されず、例えば、内径が０．８〜３ｃｍのものであればよく、通常は内径１〜２ｃｍのものが使いやすい。
薬液供給部は、一端を薬液吹き出し口部に、他端を薬液を供給する動力噴霧機、または灌水ポンプ、肥料ポンプなどの動力ポンプなどの装置に接続する。薬液供給部は、薬液吹き出し口の管のいずれの部分に接続してもよいが、好ましくは薬液吹き出し口の管の中央部分に取り付けることができる。
本発明の薬液散布棒は薬液吹き出し口部の管の中央部分に、動力噴霧機、または灌水ポンプ、肥料ポンプなどの動力ポンプに他端を接続した薬液供給部である薬液供給用ホースを接続させたものが好ましい。このような本発明の薬液散布棒の好ましい一形態の模式的な平面図を図１に示す。
【００１４】
薬液散布棒は、薬液吹き出し口部および薬液供給部を備え、好ましくは前記薬液吹き出し口部を支持するための支持部を有する。
支持部は、薬液散布棒が牽引されて移動する際、薬液吹き出し口部が進行方向に対して垂直の角度を保つことができるように薬液吹き出し口部を支持することができれば、使用できる。さらに、薬液供給部を支持することができるものであればより好ましい。好ましくは、木製などのものがよい。本発明の薬液散布棒としては、塩化ビニール製などの薬液吹き出し口部の管を木製などの支持体に取り付けたものが使いやすい。この支持部の形態としては、例えば、Ｔ字型、コ字型、またはＬ字型などが挙げられ、Ｔ字型のものが好ましい。支持部は、薬液散布棒を移動させる際の進行方向に対し、一つの辺（例えば、Ｔ字型ではＴ字の水平部分、コ字型ではコ字の鉛直部分、Ｌ字型ではＬ字の水平部分）が垂直をなすように設置して使用し、この進行方向と垂直をなす辺に前記薬液吹き出し口を接合する。また、好ましくは薬液散布棒を移動させる際の進行方向に対し、平行となる一つの辺（例えば、Ｔ字型ではＴ字の鉛直部分、コ字型ではコ字の水平部分、Ｌ字型ではＬ字の鉛直部分）に薬液供給部を接合する。
【００１５】
この薬液散布棒を移動させる際の進行方向に対し、垂直をなす一つの辺（Ｔ字型の支持部のＴ字の水平部分、コ字型ではコ字の鉛直部分、Ｌ字型ではＬ字の水平部分）は、薬液吹き出し口部の管が直線状態を維持できる程度の長さがあればよく、通常は管と等しい長さから管の長さの７０％程度の長さである。
薬液散布棒を移動させる際の進行方向に対し、平行となる一つの辺（Ｔ字型の支持部のＴ字の鉛直部分、コ字型ではコ字の水平部分、Ｌ字型ではＬ字の鉛直部分）は、本発明の方法において、作業者があるいはトラクターにより薬液供給用のホースを引っぱって、薬液散布棒を移動させる場合に、Ｔ字の水平部分（コ字型ではコ字の鉛直部分、Ｌ字型ではＬ字の水平部分）が進行方向となす角度が直角を維持しうる長さ以上でかつ操作の妨げとならない長さであればよい。一般的には１〜１．５ｍの長さであればよい。
本発明の薬液散布棒では、上記の薬液噴出孔の細孔を設け中央部分に薬液供給部のホースを接続させた薬液吹き出し口部の管を、Ｔ字型の支持体に、薬液吹き出し口部がＴ字の水平部分に、薬液供給部である薬液供給用ホースがＴ字の鉛直部分にくるように固定したものが好ましい。このような本発明の薬液散布棒の好ましい一形態の模式的な平面図を図２に示す。
【００１６】
＜処理方法＞
（ｉｉ）圃場の準備
薬液処理する畑地圃場の土壌を事前に適正な水分状態にし、耕転、整地する。そのままの状態で適正水分状態であれば、灌水の必要がなく、必要に応じて灌水を行えばよい。
すなわち、土壌が乾燥しすぎると薬液散布した際、薬液が土壌に吸着されすぎるので、薬液が適度に吸着され、１週間程度の間に徐々に薬剤成分が放出されるように湿り気があるのがよい。
灌水を行う方法は、従来から行われている方法で行えばよく、事前に圃場全体にホース、またはトランクに水を入れたトラクター等で灌水するか、水口より導水し、適当な水分状態とすればよい。
【００１７】
（ｉｉｉ）使用薬剤
本発明で使用できる薬剤としては、土壌処理用の液体状農薬であれば特定のものに限定されないが、例えば、有効成分が土壌処理用殺虫成分、殺線虫成分、殺菌成分、除草成分である液体状農薬が挙げられ、本発明においては、該有効成分から選ばれる１種または２種以上の成分を組み合わせた成分を含有する農薬を用いることができる。具体的には、カーバムナトリウム塩剤、カーバム剤、Ｄ−Ｄ剤およびクロルピクリン剤等が挙げられる。該薬剤から選ばれる１種または２種以上を組み合わせて用いることができる。
これらから選ばれた薬剤は、原液のまま用いられるか、または必要により水などの溶媒で例えば１〜１００倍、好ましくは２〜４倍程度に希釈して用いられる。薬剤の剤型が、液体以外の剤型である場合は、適当な溶媒に溶解または懸濁して用いることができる。また、薬液濃度は従来から用いられている濃度あるいは圃場条件にあわせて適宜選択される。また、使用薬液量も従来の慣行あるいは圃場条件によって適宜増減して使用できる。
【００１８】
（ｉｖ）薬液散布棒の準備
後出の薬液散布棒を圃場の先端に置く。動力噴霧機、または灌水ポンプ、肥料ポンプなどの動力ポンプなどの薬液タンクに（ｉｉｉ）で述べた薬液を入れ、薬液散布棒に薬液を供給するホースを接続する。あるいは動力噴霧機能を有するトラクターなどを用いる場合は、トラクターの薬液タンクにホースを接続する。
【００１９】
（ｖ）ビニールシートなどの被覆資材による被覆方法
本発明の方法で使用される被覆用資材としては薬液散布した後７〜１４日程度の間薬剤が蒸散してしまわない材質のものが使用される。
被覆資材としては、例えば、ビニール、ポリエチレン製などのシート状のものが好ましい。
上記被覆資材を、圃場の土壌を適正な水分状態とし、薬液散布棒を圃場の先端に、薬液吹き出し口が薬液散布の進行方向と垂直をなすように設置した後、薬液を散布する土壌全体を覆うように広げる。この場合、散布した薬液が気化して逃げるのを防ぐために十分な面積を覆う必要がある。また、被覆資材による土壌の被覆は、薬液散布の直前、同時、または直後に連続的に行うこともできる。
【００２０】
（ｖｉ）薬液の散布方法
薬液を散布するには一般的には次の方法による。
まず第１の方法は、薬液を動力噴霧機、または灌水ポンプ、肥料ポンプなどの動力ポンプなどにより、ビニールシートなどの被覆資材の下に設けた薬液散布棒に送り込みながら、薬液散布棒を人力あるいはトラクターなどにより引っ張りながら移動させ、薬液散布棒の薬液吹き出し口に設けた多数の薬液噴出孔より薬液を土壌表面に散布しながら土壌処理する。こうしてビニールシートなどの被覆資材の下を薬液処理することにより容易に土壌処理することができる。
また、薬液の土壌中への拡散と防除効果のよりいっそうの確実性をはかるために、薬液処理直後に土壌覆土するような機能を薬液散布棒に設けてもよい。具体的には、Ｖ字ガイドなどを設けて覆土するようにしてもよい。
【００２１】
第２の方法としては薬液を動力噴霧機、または灌水ポンプ、肥料ポンプなどの動力ポンプなどにより薬液供給部を介して薬液散布棒に送り込みながら、薬液散布棒を人力あるいはトラクターなどにより引っぱりながら、散布の直前、散布直下あるいは散布の直後の土壌をビニールシートなどの土壌被覆資材により土壌被覆しながら土壌処理を行う方法によっても行うことができる。
薬液の土壌中への拡散と防除効果のよりいっそうの確実性をはかるために、上記と同様に薬液処理直後に薬液処理土壌を土壌覆土するような機能を薬液散布棒を牽引するトラクターあるいは薬液散布棒の一部として設けてもよい。具体的には、Ｖ字ガイドなどを設けて覆土するようにしてもよい。
【００２２】
また、薬液散布棒から散布する薬液量は、薬液タンクから薬液散布棒へ供給する薬液量、薬液散布棒の移動速度を適宜変更することにより、目的の圃場に、使用する薬剤が適度な量散布されるように調整すればよい。例えば、薬液散布棒から散布する薬液量としては、０．２〜１．０Ｌ／分、好ましくは０．２〜０．４Ｌ／分とすることができる。薬液タンクから薬液散布棒へ供給する薬液量としては、前記薬液散布棒から散布する薬液量が達成されるように調整することができる。薬液散布棒の移動速度としては、５〜２０ｍ／分、好ましくは１０〜１５ｍ／分とすることができる。
【００２３】
（ｖｉｉ）放置
薬液散布後は、ビニールシートなどで被覆したままで一定の期間、例えば１週間〜２週間放置される。放置される期間は、散布する薬剤の種類、土壌の性質および気温などによって常法に従って適宜選択される。
【００２４】
（ｖｉｉｉ）ビニールシートなどの被覆資材の除去
薬液処理後の土壌を被覆したままで一定期間放置後、被覆資材を除去し、ガス抜きのため一定の期間放置する。ガス抜きに要する時間は、薬剤の種類、土壌の性質および気温などにより異なり、常法に従って適宜選択される。
また、ガス抜きのために、土壌の種類、気温の高低などに応じてさらに土壌混和作業を行なうこともできる。
なお、植物の播種、定植などは常法に従って行うことができる。
【００２５】
【実施例】
次に実施例で本発明をさらに具体的に説明するが、本発明はこれらに限定されるものではない。
＜実施例１＞  殺草効果試験
神奈川県厚木市内の施設を利用し、１区が１００ｍ2（１０ｍ×１０ｍ）の試験区を設定した。なお、試験区は予め耕起整地した後、灌水し土壌を十分に湿させた。
本発明区は試験区全体を塩化ビニールのシートで覆い、被覆したシートの下に薬液散布棒（薬液吹き出し口の口径（太さ）３ｃｍ、長さ５ｍ、薬液噴出孔の口径（内径）２ｍｍ、１０個／１０ｃｍ）を置き、薬液供給用ホースを介し動力噴霧機につないだ。動力噴霧機の薬液タンクにカーバムナトリウム塩液剤（化学名：ナトリウム＝メチルジチオカルバマート  ３０％）を入れ、薬液散布棒を進行方向に対し直角に保ったまま移動し、４Ｌの薬液（４０Ｌ／１０ａ相当量）を試験区内の土壌表面に均一に散布した。
対照区は、灌注機を用い、３０ｃｍ間隔に千鳥状に深さ約１５ｃｍに薬液を注入した。なお、薬液注入量は４ｍＬ／穴（４０Ｌ／１０ａ相当量）とした。薬液注入後直ちに覆土、鎮圧し、試験区全面を塩化ビニールのシートで覆った。
無処理区も同様に塩化ビニールのシートで被覆した。
処理後、７日間試験区を被覆したままの状態にし、７日後に各区の被覆を除去した。処理２０日後および４０日後に各区内任意に選んだ３地点（中央部および対角線上の両端）について、１ｍ2（１ｍ×１ｍ）あたりの雑草の発生個体数を調査した。
結果は表１に示すとおりである。
【００２６】
【表１】
2004201627.tif 000003
【００２７】
＜実施例２＞  病害防除効果
神奈川県厚木市内の圃場を利用し、１区が５０ｍ2（５ｍ×１０ｍ）の試験区を設定した。予めＰＤ（ジャガイモデキストロース）液体培地で２６℃５日間振とう培養したホウレンソウ萎凋病菌を１０8ｃｆｕ（コロニー形成単位）／ｍＬの懸濁液に調整したものを、土壌表面に４Ｌ／区を灌注した。ローターリーで深さ１０ｃｍに混和し、ホウレンソウを１作栽培した。その後、耕起整地し、灌水し土壌を十分湿らせた上、試験を行った。
本発明区は、試験区全体を塩化ビニールのシートで覆い、その下に薬液散布棒（吹き出し口の口径（太さ）３ｃｍ、長さ５ｍ、薬液散布孔の口径（内径）２ｍｍ、１０個／１０ｃｍ）を置き、薬液供給用ホース（長さ１５ｍ）を介し、動力噴霧機につないだ。動力噴霧機の薬液タンクにカーバムナトリウム塩液剤（化学名：ナトリウム＝メチルジチオカルバマート  ３０％）を入れ、薬液散布棒を進行方向に対し直角に保ったまま移動し、３Ｌの薬液（６０Ｌ／１０ａ相当量）を試験区内の土壌表面に散布した。
対照区は、灌注機を用い、３０ｃｍ間隔に千鳥状に深さ１５ｃｍに薬液を注入した。なお、薬液注入量は６ｍＬ／穴（６０Ｌ／１０ａ相当量）とした。薬液注入後直ちに覆土、鎮圧し、試験区全面を塩化ビニールのシートで覆った。
無処理区も同様に塩化ビニールのシートで７日間被覆した。
いずれの区も処理後７日間、試験区を被覆したままの状態にした。
処理７日後に各区の被覆を除去した後、試験区全体を耕起しガス抜きを行った。さらに８日間置いた後、各区各々３箇所（中央および対角線上の両端）に幅７０ｃｍ、長さ２ｍの畝を造り、ホウレンソウ（品種：アクティブ）を３条（条間２０ｃｍ）播きした。なお、播種量は４０粒（１２０粒／畝）とした。播種１４日後に出芽数を調査し、また播種３１日後に発病株数を調査した。防除価は発病株数より算出した。
結果は表２に示すとおりである。
【００２８】
【表２】
2004201627.tif 000004
【００２９】
【発明の効果】
本発明を実施すると次のような効果がもたらされる。
第１に、広い面積を一度に処理できる。
第２に、ガスもれがほとんどないので、臭気・催涙性がある薬剤でも使用できる。
第３に、薬液を土壌表層に均一に散布できるので、効果が安定する。
第４に、地表近くにしかガスが入らないので、容易にガスが抜ける。
第５に、表層に高濃度薬液をまくので、有効濃度に達しやすい。
したがって、本発明は省力的な土壌処理方法として利用することができる。さらに、本発明はガスもれがほとんどなく安全で十分な土壌消毒効果をもたらす方法として利用することができる。
【００３０】
【図面の簡単な説明】
【図１】実施形態の薬液散布棒の一形態を示す模式的な平面図である。同形態においては、薬液噴出孔を薬液を散布する土壌面に向けて好ましく使用される。同図は薬液を散布する土壌面より見た図である。
【図２】実施形態の薬液散布棒の他の一形態を示す模式的な平面図である。同形態においては、薬液噴出孔を薬液を散布する土壌面に向けて好ましく使用される。同図は薬液を散布する土壌面より見た図である。
【符号の説明】
１  薬液吹き出し口
２  薬液噴出孔
３  薬液供給用ホース
４  支持体
【図１】
2004201627.tif 000005
【図２】
2004201627.tif 000006